(57)【要約】【課題】報源（記録媒体、放送など）が異なっても、楽曲、画像などの情報を一括して取り扱って再生制御を行え、ユーザの利便性を向上する。【解決手段】検索情報および所定の検索条件により検索された再生選択対象の前記情報のリストを表示部に表示するためのリスト表示情報を格納させ、格納されたリスト表示情報に対応するリストを表示部に表示させ（ステップＳ１７）、リスト表示情報に対応する情報が更新可能な状態となった場合に、その旨をユーザに告知させ（ステップＳ１４）、告知がなされ、かつ、ユーザにより更新指示がなされた場合に、リスト表示情報を更新させ（ステップＳ１６）、リストに基づいてユーザが選択した再生対象の情報を再生させる。【選択図】図６
2009116925.tif 000002
【特許請求の範囲】
【請求項１】
放送及び記録媒体を含む複数の情報源からの情報を再生可能な情報再生装置において、
前記情報を検索するための検索情報を記憶する検索情報記憶部と、
前記検索情報および所定の検索条件により検索された再生選択対象の前記情報のリストを表示するためのリスト表示情報を格納するリスト表示情報格納部と、
前記リスト表示情報格納部に格納された前記リスト表示情報に対応するリストを表示するリスト表示部と、
前記リスト表示情報に対応する前記情報が更新可能な状態となった場合に、その旨をユーザに告知する更新告知部と、
前記告知がなされ、かつ、前記ユーザにより更新指示がなされた場合に、前記リスト表示情報を更新するリスト表示情報更新部と、
前記リストに基づいてユーザが再生対象の前記情報を選択するための選択部と、
前記選択部を介して前記ユーザが選択した情報を再生する情報再生部と、
を備えたことを特徴とする情報再生装置。
【請求項２】
請求項１記載の情報再生装置において、
前記告知がなされ、かつ、前記選択部により、前記更新可能な情報が前記再生対象として選択された場合に、当該選択が無効である旨を告知するとともに、前記リスト表示情報更新部に前記リスト表示情報の更新を行わせるリスト情報更新制御部を備えたことを特徴とする情報再生装置。
【請求項３】
請求項１または請求項２記載の情報再生装置において、
所定時間毎に前記情報源から検索情報を収集し、前記検索情報記憶部に記憶されている前記検索情報を更新する検索情報更新部を備えたことを特徴とする情報再生装置。
【請求項４】
請求項１ないし請求項３のいずれかに記載の情報再生装置において、
前記検索条件を前記ユーザが入力するための検索条件入力部を備えたことを特徴とする情報再生装置。
【請求項５】
各種表示を行う表示部並びに放送及び記録媒体を含む複数の情報源からの情報を検索するための検索情報を記憶する検索情報記憶部を有し、前記情報源からの情報を再生可能な情報再生装置の制御方法において、
前記検索情報および所定の検索条件により検索された再生選択対象の前記情報のリストを前記表示部に表示するためのリスト表示情報を格納するリスト表示情報格納過程と、
前記リスト表示情報格納過程で格納された前記リスト表示情報に対応するリストを前記表示部に表示するリスト表示過程と、
前記リスト表示情報に対応する前記情報が更新可能な状態となった場合に、その旨をユーザに告知する更新告知過程と、
前記告知がなされ、かつ、前記ユーザにより更新指示がなされた場合に、前記リスト表示情報を更新するリスト表示情報更新過程と、
前記リストに基づいてユーザが選択した再生対象の前記情報を再生する情報再生過程と、
を備えたことを特徴とする情報再生装置の制御方法。
【請求項６】
各種表示を行う表示部並びに放送及び記録媒体を含む複数の情報源からの情報を検索するための検索情報を記憶する検索情報記憶部を有し、前記情報源からの情報を再生可能な情報再生装置をコンピュータにより制御するための制御プログラムであって、
前記検索情報および所定の検索条件により検索された再生選択対象の前記情報のリストを前記表示部に表示するためのリスト表示情報を格納させ、
前記リスト表示情報格納過程で格納された前記リスト表示情報に対応するリストを前記表示部に表示させ、
前記リスト表示情報に対応する前記情報が更新可能な状態となった場合に、その旨をユーザに告知させ、
前記告知がなされ、かつ、前記ユーザにより更新指示がなされた場合に、前記リスト表示情報を更新させ、
前記リストに基づいてユーザが選択した再生対象の前記情報を再生させる、
ことを特徴とする制御プログラム。
【発明の詳細な説明】
【技術分野】
【０００１】
本発明は、情報再生装置、情報再生装置の制御方法および制御プログラムに係り、特に各種放送を含む複数の情報源からの情報を情報源の種類にかかわりなく同様に取り扱って再生を行うための技術に関する。
【背景技術】
【０００２】
従来、様々な記録媒体に記録された楽曲を再生するオーディオ機器が知られている。このようなオーディオ機器においては、複数種類の記録媒体に記録された楽曲について作成された再生リストに従って順次再生を行うものがある。
具体的には、オーディオ機器としてのＣＤ−ＭＤプレーヤにおいては、ＣＤ（Ｃｏｍｐａｃｔ  Ｄｉｓｃ）に記録された楽曲と、ＭＤ（Ｍｉｎｉ  Ｄｉｓｃ）に記録された楽曲のうち、所望の楽曲について再生リストをユーザがマニュアルで作成し、あるいは当該ＣＤ−ＭＤプレーヤが自動的に作成し、この再生リストに従っておこなっていた。
【特許文献１】特開２０００−１４９３８６号公報
【発明の開示】
【発明が解決しようとする課題】
【０００３】
ところで、記録媒体に記録された楽曲は、ユーザが意図して指示、あるいは、操作しない限り、固定されているのが一般的である。一方、ラジオ放送あるいはテレビ放送により放送される楽曲は、ユーザの意図にかかわらず、変化しているのが一般的である。
したがって、上記従来のオーディオ機器においては、異なる記録メディアに記録された複数の楽曲情報あるいは映像情報を一括して取り扱うことはできたものの、例え、チューナーを備えていたとしても放送される楽曲、映像については、記録メディアに記録された楽曲と一括して取り扱うことはできなかった。特に、放送される楽曲、映像は、随時変化しているため、実際の更新タイミングに合わせて更新していたのでは、ユーザにとって使い勝手が悪いものとなってしまうという問題点があった。
そこで、本発明の目的は、情報源（記録媒体、放送など）が異なっても、楽曲、画像などの情報を一括して取り扱って再生制御を行え、ユーザの利便性を向上することができる情報再生装置、情報再生装置の制御方法および制御プログラムを提供することにある。
【課題を解決するための手段】
【０００４】
上記課題を解決するため、放送及び記録媒体を含む複数の情報源からの情報を再生可能な情報再生装置において、前記情報を検索するための検索情報を記憶する検索情報記憶部と、前記検索情報および所定の検索条件により検索された再生選択対象の前記情報のリストを表示するためのリスト表示情報を格納するリスト表示情報格納部と、前記リスト表示情報格納部に格納された前記リスト表示情報に対応するリストを表示するリスト表示部と、前記リスト表示情報に対応する前記情報が更新可能な状態となった場合に、その旨をユーザに告知する更新告知部と、前記告知がなされ、かつ、前記ユーザにより更新指示がなされた場合に、前記リスト表示情報を更新するリスト表示情報更新部と、前記リストに基づいてユーザが再生対象の前記情報を選択するための選択部と、前記選択部を介して前記ユーザが選択した情報を再生する情報再生部と、を備えたことを特徴としている。
【０００５】
上記構成によれば、検索情報記憶部は、情報を検索するための検索情報を記憶する。
リスト表示情報格納部は、検索情報および所定の検索条件により検索された再生選択対象の情報のリストを表示するためのリスト表示情報を格納する。
リスト表示部は、リスト表示情報格納部に格納された前記リスト表示情報を表示する。
また、更新告知部は、リスト表示情報に対応する情報が更新可能な状態となった場合に、その旨をユーザに告知する。
これらの結果、リスト表示情報更新部は、告知がなされ、かつ、ユーザにより更新指示がなされた場合に、リスト表示情報を更新する。
そして、情報再生部は、選択部を介してユーザが選択した情報を再生する。
【０００６】
この場合において、前記告知がなされ、かつ、前記選択部により、前記更新可能な情報が前記再生対象として選択された場合に、当該選択が無効である旨を告知するとともに、前記リスト表示情報更新部に前記リスト表示情報の更新を行わせるリスト情報更新制御部を備えるようにしてもよい。
また、所定時間毎に前記情報源から検索情報を収集し、前記検索情報記憶部に記憶されている前記検索情報を更新する検索情報更新部を備えるようにしてもよい。
また、前記検索条件を前記ユーザが入力するための検索条件入力部を備えるようにしてもよい。
【０００７】
また、各種表示を行う表示部並びに放送及び記録媒体を含む複数の情報源からの情報を検索するための検索情報を記憶する検索情報記憶部を有し、前記情報源からの情報を再生可能な情報再生装置の制御方法において、前記検索情報および所定の検索条件により検索された再生選択対象の前記情報のリストを前記表示部に表示するためのリスト表示情報を格納するリスト表示情報格納過程と、前記リスト表示情報格納過程で格納された前記リスト表示情報に対応するリストを前記表示部に表示するリスト表示過程と、前記リスト表示情報に対応する前記情報が更新可能な状態となった場合に、その旨をユーザに告知する更新告知過程と、前記告知がなされ、かつ、前記ユーザにより更新指示がなされた場合に、前記リスト表示情報を更新するリスト表示情報更新過程と、前記リストに基づいてユーザが選択した再生対象の前記情報を再生する情報再生過程と、を備えたことを特徴としている。
【０００８】
また、各種表示を行う表示部並びに放送及び記録媒体を含む複数の情報源からの情報を検索するための検索情報を記憶する検索情報記憶部を有し、前記情報源からの情報を再生可能な情報再生装置をコンピュータにより制御するための制御プログラムであって、前記検索情報および所定の検索条件により検索された再生選択対象の前記情報のリストを前記表示部に表示するためのリスト表示情報を格納させ、前記リスト表示情報格納過程で格納された前記リスト表示情報に対応するリストを前記表示部に表示させ、前記リスト表示情報に対応する前記情報が更新可能な状態となった場合に、その旨をユーザに告知させ、前記告知がなされ、かつ、前記ユーザにより更新指示がなされた場合に、前記リスト表示情報を更新させ、前記リストに基づいてユーザが選択した再生対象の前記情報を再生させる、ことを特徴としている。
【発明の効果】
【０００９】
本発明によれば、記録媒体と放送などのように情報源が異なっても、楽曲、画像などの情報を一括して取り扱って再生制御を行え、ユーザの利便性を向上できる。
【発明を実施するための最良の形態】
【００１０】
次に図面を参照して本発明の好適な実施の形態について説明する。
図１は実施形態の車載用システムの概要構成ブロック図である。
車載用システム１は、図１に示すように、大別すると、車載用機器本体１０と、外部アンテナ２０と、外部スピーカ３０と、オートディスクチェンジ装置４０と、を備えている。
車載用機器本体１０は、外部アンテナ２０に接続され、ラジオ放送電波あるいはテレビ放送電波を受信して、ラジオ放送あるいはテレビ放送を再生するためのラジオ／テレビチューナ部１１と、光ディスクを再生するためのディスク再生装置１２と、各種ＵＳＢ機器が接続されるＵＳＢインタフェース部１３と、ＳＳＤ（Ｓｏｌｉｄ  Ｓｔａｔｅ  Ｄｉｓｋ）やハードディスクドライブとして構成された外部記憶装置１４と、液晶ディスプレイなどで構成された表示部１５と、複数のキースイッチを有し、ユーザの操作を受け付ける操作部１６と、各種情報を記憶するメモリ部１７Ａを有し、車載用機器本体１０ひいては車載用システム１全体を制御するためのマイクロコンピュータとして構成されたコントローラ１７と、コントローラ１７の制御下で出力する音響信号を選択するセレクタ１８と、セレクタ１８により選択された音響信号を増幅して、外部スピーカ３０から音響出力を行うアンプ部１９と、を備えている。
【００１１】
ラジオ／テレビチューナ部１１は、外部アンテナ２０を介して受信したラジオ放送信号からラジオ音声信号、テレビ放送信号からテレビ映像信号およびテレビ音声信号を生成し、ラジオ音声信号あるいはテレビ音声信号をセレクタ１８に出力し、テレビ映像信号をコントローラ１７に出力する。
この音声信号及び映像信号の出力と並行して、ラジオ／テレビチューナ部１１は、常時各放送局の放送内容に関連するデータ、具体的には、曲名データ、アーティスト名データ、番組名データ、番組ジャンルデータなどを外部記憶装置１４に記憶している。なお、コントローラ１７内のメモリ部１７Ａの容量に余裕がある場合であれば、メモリ部１７Ａに放送内容に関連するデータを記憶するようにしてもよい。
【００１２】
ディスク再生装置１２は、光ディスクとしてのＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）、ＭＤ（Ｍｉｎｉ  Ｄｉｓｋ）などから音声信号あるいは映像信号を再生し、音声信号をセレクタ１８に出力し、映像信号をデータ通信線を介してコントローラ１７に出力する。
【００１３】
ＵＳＢインタフェース部１３は、ＵＳＢメモリ、ＵＳＢ接続メモリカードリーダ、ＵＳＢ接続ディスクドライブ装置、ＵＳＢ接続ハードディスク装置などのＵＳＢインタフェースを有する外部機器が接続され、接続された外部機器から音声信号あるいは映像信号を再生し、音声信号をセレクタ１８に出力し、映像信号をコントローラ１７に出力する。
外部記憶装置１４は、音声信号あるいは映像信号を検索するための検索情報を記憶するデータベースを記憶しており、コントローラ１７が参照することとなる。
表示部１５は、後述するリストを表示するほか、リストが更新可能な旨等の各種情報を表示する。
操作部１６は、複数のキースイッチの操作により、ユーザが検索条件の入力あるいは再生指示などを行う。
【００１４】
次に具体的な動作説明に先立ち、外部記憶装置１４に格納されるデータベースについて説明する。
図２は、データベースの格納状態の説明図である。
データベース５０は、情報である音声情報、映像情報などを検索するための検索情報を格納するものであり、各データを特定するためのＩＤデータ５１と、情報源（ソース）種別を特定するためのソース種別データ５２と、情報内容を特定するためのソース内容識別データ５３と、情報に割り振られた名称が格納された名称データ５４と、情報の作成者であるアーティスト名が格納されたアーティスト名データ５５と、情報の属するジャンルを特定するためのジャンルデータ５６と、リストに表示する対象となっているか否かを特定するためのリスト対象データ５７と、を備えている。
【００１５】
このデータベース５０は、所定周期で更新するとともに、ディスクなどのメディアが交換された場合には不定期に更新される。
図２中、ソース種別データ５２として、「ＣＤ−Ａ／Ｃ」とあるのは、オートディスクチェンジ装置４０を表している。また、ソース内容種別データ５３中、例えば、「ＦＯＬＤＥＲ１／ＴＲＡＣＫ１」とあるのは、ＵＳＢインタフェース部１３を介して接続されたＵＳＢ接続機器におけるフォルダー名「ＦＯＬＤＥＲ１」と、当該フォルダー名に対応するフォルダ内のトラック名「ＴＲＡＣＫ１」のトラックにデータが格納されていることを示している。
【００１６】
より詳細にデータの一例を説明すると、ＩＤデータ＝１のデータは、ソース種別が「ＦＭ放送」であり、情報内容として受信周波数が「７９．５ＭＨｚ」であり、名称としての曲名が「ＭＵＳＩＣ−１」であり、アーティスト名が「ＡＲＴＩＳＴ−１」であり、ジャンルが「ＰＯＰ」であり、当該データは現在「Ｎｏ：リストの対象となっていない」ことを示している。
同様に、ＩＤデータ＝２のデータは、ソース種別が「ＦＭ放送」であり、情報内容として受信周波数が「８０．０ＭＨｚ」であり、名称としての曲名が「ＭＵＳＩＣ−２」であり、アーティスト名が「ＡＲＴＩＳＴ−２」であり、ジャンルが「ＪＡＺＺ」であり、当該データは現在「リストの対象となっていない」ことを示している。
【００１７】
ここで、ユーザがアーティスト名＝「ＡＲＴＩＳＴ−２」で検索を行った場合のリストテーブルについて説明する。
図３は、リストテーブルの説明図である。
リストテーブルは、検索情報であるデータベース５０およびユーザが入力した所定の検索条件により検索された再生選択対象の情報（音声情報あるいは映像情報）のリストを表示するために用いられるテーブルである。
リストテーブル６０は、再生対象の情報を検索するために用いたデータを格納する検索キーデータ６１と、リスト番号を格納したリスト番号データ６２と、データベース５０におけるＩＤデータ５１を格納するデータベースＩＤデータ６３と、を備えている。
【００１８】
図３の場合、検索キーデータ６１は、検索キーがデータベース５０におけるアーティスト名データ５５が「ＡＲＴＩＳＴ−２」が含まれるものが検索対象であることを意味している。
リスト番号データ６２は、検索されたデータを特定するためのものであり、連続番号が割り振られる。
【００１９】
データベースＩＤデータ６３は、検索結果としてのデータベース内のデータを特定するためのＩＤデータ５１が格納される。
すなわち、図３の場合には、アーティスト名データ５５が「ＡＲＴＩＳＴ−２」が含まれるデータが４個（リスト番号データ６２の最大値が０００４）であり、検索結果としては、図２に示したデータベース５０の場合には、ＩＤデータ５１＝２、Ｎ＋１、Ｍ＋２、Ｘ＋１のデータが有ったことがわかる。
これらの結果、表示部には、再生対象として、４件の情報がリストとして表示されることとなる。
【００２０】
次に実施形態の動作を説明する。
図４は、表示部におけるリスト表示の一例の説明図である。
図４は、ジャンルデータ５６＝「ＰＯＰ」として検索を行った場合の表示例を示している。
図４に示すように、表示部１５の表示画面には、リストテーブル６０のリスト番号データ６２に対応するリスト番号が表示されるリスト番号表示領域６２Ｘと、名称データ５４に対応する情報名（図４では、曲名あるいは映像名）が表示される名称表示領域５４Ｘと、ソース種別データ５２に対応するソース種別名が表示されるソース種別表示領域５２Ｘおよびソース内容識別データ５３に対応するソース内容が表示されるソース内容表示領域が配置されている。
【００２１】
以下の説明においては、図４に示した状態で表示部１５にリスト表示がなされた状態として、動作を説明する。
図５は、実施形態のメイン処理フローチャートである。
まず、コントローラ１７は、ユーザにより操作部１６を介してリスト更新の指示がなされたか否かを判別する（ステップＳ１１）。
ステップＳ１１の判別において、ユーザによりリスト更新の指示がなされた場合には（ステップＳ１１ｓ；Ｙｅｓ）、処理をステップＳ１６に移行し、コントローラ１７は、表示リストを更新する。
【００２２】
図６は、表示更新指示後のリスト表示の一例の説明図である。
具体的には、コントローラ１７は、外部記憶装置１４のデータベース５０を参照し、リスト更新の指示に対応する検索キーで検索を行い、図３に示したリストテーブル６０を更新することとなる。
すなわち、図４に示した状態で、ユーザが操作部１６を操作し、検索キーをアーティスト名データ５５が「ＡＲＴＩＳＴ−３」が含まれるものとした場合には、リストテーブル６０が更新され、図６に示すように、「ＡＲＴＩＳＴ−３」に対応する４つの情報が表示されることとなる。
ステップＳ１１の判別において、ユーザにより操作部１６を介してリスト更新の指示がなされなかった場合には（ステップＳ１１；Ｎｏ）、コントローラ１７は、所定の更新タイミングであるか否かを判別する（ステップＳ１２）。
【００２３】
ステップＳ１２の判別において、所定の更新タイミングではない場合には（ステップＳ１２；Ｎｏ）、処理を再びステップＳ１１に移行し、以下、同様の処理を行う。
ステップＳ１２の判別において、所定の更新タイミングである場合には（ステップＳ１２；Ｙｅｓ）、検索情報の更新処理に移行する（ステップＳ１３）。
ここで、検索情報の更新処理について説明する。
図７は、検索情報の更新処理フローチャートである。
まず、コントローラ１７は、ラジオ／テレビチューナ部１１がラジオ放送の受信が可能な状態か否かを判別する（ステップＳ２１）。
ステップＳ２１の判別において、ラジオ／テレビチューナ部１１がラジオ放送の受信不能状態である場合には（ステップＳ２１；Ｎｏ）、処理をステップＳ２３に移行する。
【００２４】
ステップＳ２１の判別において、ラジオ／テレビチューナ部１１がラジオ放送の受信が可能な状態である場合には（ステップＳ２１；Ｙｅｓ）、ラジオ放送中の番組情報を外部記憶装置上のデータベースに記憶する（ステップＳ２２）。
次にコントローラ１７は、ラジオ／テレビチューナ部１１がテレビ放送の受信が可能な状態か否かを判別する（ステップＳ２３）。
ステップＳ２１の判別において、ラジオ／テレビチューナ部１１がテレビ放送の受信不能状態である場合には（ステップＳ２３；Ｎｏ）、処理をステップＳ２５に移行する。
ステップＳ２１の判別において、ラジオ／テレビチューナ部１１がテレビ放送の受信が可能な状態である場合には（ステップＳ２３；Ｙｅｓ）、テレビ放送中の番組情報を外部記憶装置上のデータベースに記憶する（ステップＳ）。
【００２５】
次にコントローラ１７は、ディスク再生装置１２にディスクが再生可能な状態で挿入されたか否かを判別する（ステップＳ２５）。
ステップＳ２５の判別において、ディスク再生装置１２にディスクが再生可能な状態で挿入されていない状態、すなわち、ディスク再生装置１２にディスクが挿入されていないか、あるいは、挿入されたディスクの再生が行えない場合には（ステップＳ２５；Ｎｏ）、処理をステップＳ２７に移行する。
ステップＳ２５の判別において、ディスク再生装置１２にディスクが再生可能な状態で挿入された場合には（ステップＳ２３；Ｙｅｓ）、当該ディスクの再生関連情報を外部記憶装置上のデータベースに記憶する（ステップＳ２６）。
【００２６】
次にコントローラ１７は、ＵＳＢインタフェース部１３に、ＵＳＢメモリ、ＵＳＢ接続メモリカードリーダ、ＵＳＢ接続ディスクドライブ装置、ＵＳＢ接続ハードディスク装置などのＵＳＢインタフェースを有する外部機器が、当該外部機器から音声信号あるいは画像信号の再生が可能な状態で接続されたか否かを判別する（ステップＳ２７）。
ステップＳ２５の判別において、ＵＳＢインタフェース部１３に外部機器が再生可能な状態で接続されていない状態、すなわち、外部機器がＵＳＢインタフェース部１３に接続されていないか、あるいは、外部接続機器が接続されていても認識不能状態などの理由により接続された外部機器における再生が行えない場合には（ステップＳ２７；Ｎｏ）、処理をステップＳ２９に移行する。
【００２７】
ステップＳ２７の判別において、ＵＳＢインタフェース部１３に外部機器が再生可能な状態で接続された場合には（ステップＳ２７；Ｙｅｓ）、外部機器における再生関連情報をＵＳＢ情報として外部記憶装置上のデータベースに記憶する（ステップＳ２８）。
次にコントローラ１７は、オートディスクチェンジ装置４０が、当該オートディスクチェンジ装置４０から音声信号あるいは画像信号の再生が可能な状態で接続されたか否かを判別する（ステップＳ２９）。
ステップＳ２９の判別において、オートディスクチェンジ装置４０が再生可能な状態で接続されていない状態、すなわち、オートディスクチェンジ装置４０が接続されていないか、あるいは、オートディスクチェンジ装置４０内のディスクの認識不能状態などの理由により接続されたオートディスクチェンジ装置４０による再生が行えない場合には（ステップＳ２９；Ｎｏ）、処理を終了する。
【００２８】
ステップＳ２９の判別において、オートディスクチェンジ装置４０が再生可能な状態で接続されている場合には（ステップＳ２９；Ｙｅｓ）、当該オートディスクチェンジ装置４０に収納されている全てのディスクの再生関連情報を外部記憶装置上のデータベースに登録あるいは更新し、記憶する（ステップＳ２６）。
次にコントローラ１７は、表示部にリスト情報の更新が可能である旨の告知情報を表示する（ステップＳ１４）。
【００２９】
図８は、リスト情報の更新可能告知情報の表示例の説明図である。
具体的には、図８に示すように、表示部１５の表示画面上に「情報を更新できます」というリスト情報の更新可能告知情報７０が点滅表示される。なお、表示態様は、任意であり、リスト情報の更新が可能である旨の告知が確実にユーザに対して行われるのであれば、任意の態様が使用可能である。具体的には、音声による告知、ブザー音と画面表示による告知などである。
続いてコントローラ１７は、操作部１６を介してユーザによりリスト情報の更新指示がなされたか否かを判別する（ステップＳ１５）。
【００３０】
ステップＳ１５の判別において、操作部１６を介してユーザによるリスト情報の更新指示がなされなかった場合には（ステップＳ１５；Ｎｏ）、リスト表示を継続し（ステップＳ１７）、処理を再生制御などの通常処理に移行する（ステップＳ１８）。
ステップＳ１５の判別において、操作部を介してユーザによるリスト情報の更新指示がなされた場合には（ステップＳ１５；Ｙｅｓ）、検索情報からリスト情報を更新して（ステップＳ１６）、リスト表示を行い（ステップＳ１７）、処理を再生制御などの通常処理に移行する（ステップＳ１８）。
【００３１】
図９は、リストが最新のものでは無い場合の操作後の状態説明図である。
この通常処理においては、現在表示しているリストが最新のものであるか否かを判別しており、判別の結果、現在表示しているリストが最新のものではない、すなわち、ユーザによる更新指示がなされていない状況では、操作部１６を介して、現在利用可能ではない情報が選択された場合、たとえば、図９に示すように、実際には既に放送が終了したリスト番号＝００２で示すＦＭ放送を選択するための情報７１が選択された場合には、当該選択が無効である旨を告知する情報８１とともに、リスト情報の更新指示がなされたものとみなして、更新済みの新しい検索情報に基づいてリストテーブル６０を更新することとなる。
この結果、現在再生可能なリスト表示がなされることとなり、ユーザはリスト表示に従って、操作部から所望の情報を再生することが可能となる。
【００３２】
以上の説明のように、本実施形態によれば、記録媒体と放送などのように情報源が異なっても、楽曲、画像などの情報を一括して取り扱って再生制御を行え、ユーザの利便性を向上できる。この場合に、情報を選択するために用いられるリスト表示は、ユーザが意識していない状態で更新されることはなく、特に放送番組の情報のように常時更新されてしまう可能性がある情報であっても、容易にユーザが確認できる。
【００３３】
以上の説明は、情報源として、記録媒体および放送の場合について説明したが、インターネットなど通信ネットワークへの接続環境を有する場合であれば、インターネット上の所定のＵＲＬの情報についても同様に取り扱うことが可能である。特にユーザがネットワークストレージなどを利用可能な状況であったり、特定のサービサーから情報の提供を受ける契約をしておいたりするような状況で有効である。
【図面の簡単な説明】
【００３４】
【図１】実施形態の車載用システムの概要構成ブロック図である。
【図２】データベースの格納状態の説明図である。
【図３】リストテーブルの説明図である。
【図４】表示部におけるリスト表示の一例の説明図である。
【図５】実施形態のメイン処理フローチャートである。
【図６】表示更新指示後のリスト表示の一例の説明図である。
【図７】検索情報の更新処理フローチャートである。
【図８】リスト情報の更新可能告知情報の表示例の説明図である。
【図９】リストが最新のものでは無い場合の操作後の状態説明図である。
【符号の説明】
【００３５】
１  車載用システム
１０  車載用機器本体
１１  テレビチューナ部
１２  ディスク再生装置
１３  ＵＳＢインタフェース部
１４  外部記憶装置
１５  表示部
１６  操作部
１７  コントローラ
１７Ａ  メモリ部
１８  セレクタ
１９  アンプ部
２０  外部アンテナ
３０  外部スピーカ
４０  オートディスクチェンジ装置
５０  データベース
５１  ＩＤデータ
５２  ソース種別データ
５２Ｘ  ソース種別表示領域
５３  ソース内容識別データ
５４  名称データ
５４Ｘ  名称表示領域
５５  アーティスト名データ
５６  ジャンルデータ
５７  リスト対象データ
６０  リストテーブル
６１  検索キーデータ
６２  リスト番号データ
６２Ｘ  リスト番号表示領域
６３  データベースＩＤデータ
７０  更新可能告知情報
【図１】
2009116925.tif 000003
【図２】
2009116925.tif 000004
【図３】
2009116925.tif 000005
【図４】
2009116925.tif 000006
【図５】
2009116925.tif 000007
【図６】
2009116925.tif 000008
【図７】
2009116925.tif 000009
【図８】
2009116925.tif 000010
【図９】
2009116925.tif 000011